(57)【要約】【課題】装置に流通する水の流水エネルギーを利用して自己発電する発電手段を配設させることで、消費電力の少ない省動力を可能とした水改質装置を実現する。【解決手段】電解槽１１に水を流通させる通水路１６、１７に配設され、水車および発電機からなり、通水路１６、１７を流通する水の流水エネルギーにより水車を回転させて電力を発電する発電手段３０とこの発電手段３０によって発電された電力を蓄える電源手段３１とが設けられ、電圧印加手段１５は、電源手段３１から蓄えられた電力を供給するように構成した。これにより、消費電力の少ない省動力の水改質装置ができる。【選択図】        図１
2004160443.tif 000002
【特許請求の範囲】
【請求項１】
改質する水が導入される電解槽（１１）と、
前記電解槽（１１）内に対向して配設されマグネシウムからなる一対の電極（１２、１３）と、
前記電極（１２、１３）間に電圧を印加する電圧印加手段（１５）とを有し、前記電圧印加手段（１５）により前記電極（１２、１３）間に電圧を印加させて前記電極（１２、１３）からＭｇ２＋イオンを溶解させて前記電解槽（１１）内の水をアルカリ水に改質する水改質装置において、
前記電解槽（１１）に水を流通させる通水路（１６、１７）に配設され、水車および発電機からなり、前記通水路（１６、１７）を流通する水の流水エネルギーにより水車を回転させて電力を発電する発電手段（３０）と前記発電手段（３０）によって発電された電力を蓄える電源手段（３１）とが設けられ、前記電圧印加手段（１５）は、前記電源手段（３１）から蓄えられた電力を供給するように構成したことを特徴とする水改質装置。
【請求項２】
改質する水が導入される電解槽（１１）と、
前記電解槽（１１）内に対向して配設される一対の電極（１２、１３）と、
前記一対の電極（１２、１３）との間に配設されマグネシウムからなる一枚または複数枚の中間電極（１４）と、
前記電極（１２、１３）間に電圧を印加する電圧印加手段（１５）とを有し、前記電圧印加手段（１５）により前記電極（１２、１３）間に電圧を印加させて前記中間電極（１４）からＭｇ２＋イオンを溶解させて前記電解槽（１１）内の水をアルカリ水に改質する水改質装置において、
前記電解槽（１１）に水を流通させる通水路（１６、１７）に配設され、水車および発電機からなり、前記通水路（１６、１７）を流通する水の流水エネルギーにより水車を回転させて電力を発電する発電手段（３０）と前記発電手段（３０）によって発電された電力を蓄える電源手段（３１）とが設けられ、前記電圧印加手段（１５）は、前記電源手段（３１）から蓄えられた電力を供給するように構成したことを特徴とする水改質装置。
【請求項３】
前記改質する水は、浴槽内の浴水であり、前記電解槽（１１）は、浴水を浄化する浴水浄化装置（５０）に配設されたことを特徴とする請求項１または請求項２に記載の水改質装置。
【請求項４】
前記電解槽（１１）は、水道水から粒子成分、遊離塩素や臭気成分、微細縣濁物を除去する浄水器（６０）を有する通水路（１６、１７）に配設されたことを特徴とする請求項１ないし請求項３のいずれか一項に記載の水改質装置。
【請求項５】
燃焼により排出される排気ガスの潜熱を回収させることにより発生する排水が導入される電解槽（１１）と、
前記電解槽（１１）内に対向して配設されマグネシウムからなる一対の電極（１２、１３）と、
前記電極（１２、１３）間に電圧を印加する電圧印加手段（１５）とを有し、前記電圧印加手段（１５）により前記電極（１２、１３）間に電圧を印加させて前記電極（１２、１３）からＭｇ２＋イオンを溶解させて前記電解槽（１１）内の前記排水を中性もしくはアルカリ性に改質する水改質装置において、
前記電解槽（１１）に前記排水を流通させる通水路（１６、１７）に配設され、水車および発電機からなり、前記通水路（１６、１７）を流通する前記排水の流水エネルギーにより水車を回転させて電力を発電する発電手段（３０）と前記発電手段（３０）によって発電された電力を蓄える電源手段（３１）とが設けられ、前記電圧印加手段（１５）は、前記電源手段（３１）から蓄えられた電力を供給するように構成したことを特徴とする水改質装置。
【請求項６】
燃焼により排出される排気ガスの潜熱を回収させることにより発生する排水が導入される電解槽（１１）と、
前記電解槽（１１）内に対向して配設される一対の電極（１２、１３）と、
前記一対の電極（１２、１３）との間に配設されマグネシウムからなる一枚または複数枚の中間電極（１４）と、
前記電極（１２、１３）間に電圧を印加する電圧印加手段（１５）とを有し、前記電圧印加手段（１５）により前記電極（１２、１３）間に電圧を印加させて前記中間電極（１４）からＭｇ２＋イオンを溶解させて前記電解槽（１１）内の排水を中性もしくはアルカリ性に改質する水改質装置において、
前記電解槽（１１）に前記排水を流通させる通水路（１６、１７）に配設され、水車および発電機からなり、前記通水路（１６、１７）を流通する前記排水の流水エネルギーにより水車を回転させて電力を発電する発電手段（３０）と前記発電手段（３０）によって発電された電力を蓄える電源手段（３１）とが設けられ、前記電圧印加手段（１５）は、前記電源手段（３１）から蓄えられた電力を供給するように構成したことを特徴とする水改質装置。
【請求項７】
前記電圧印加手段（１５）は、前記発電手段（３０）が作動され発電を開始したときに、発電された電力によって前記電極（１２、１３）間に電圧が印加されることを特徴とする請求項１ないし請求項６のいずれか一項に記載の水改質装置。
【請求項８】
燃焼により給湯用水を加熱する給湯用熱交換器（４２ａ）と燃焼により排出される排気ガスの潜熱を回収する潜熱回収用熱交換器（４２ｂ）とを有する燃焼装置（４０）に設けられ、前記潜熱回収用熱交換器（４２ｂ）から発生する排水が導入される電解槽（１１）と、
前記電解槽（１１）内に対向して配設されマグネシウムからなる一対の電極（１２、１３）と、
前記電極（１２、１３）間に電圧を印加する電圧印加手段（１５）とを有し、前記電圧印加手段（１５）により前記電極（１２、１３）間に電圧を印加させて前記電極（１２、１３）からＭｇ２＋イオンを溶解させて前記電解槽（１１）内の前記排水を中性もしくはアルカリ性に改質する水改質装置において、
前記給湯用水を流通させる通水路（４４、４５、４６）に配設され、水車および発電機からなり、前記通水路（４４、４５、４６）を流通する前記給湯用水の流水エネルギーにより水車を回転させて電力を発電する発電手段（３０）と、前記発電手段（３０）によって発電された電力を蓄える電源手段（３１）とが設けられ、前記電圧印加手段（１５）は、前記電源手段（３１）から蓄えられた電力を供給するように構成したことを特徴とする水改質装置。
【請求項９】
燃焼により給湯用水を加熱する給湯用熱交換器（４２ａ）と燃焼により排出される排気ガスの潜熱を回収する潜熱回収用熱交換器（４２ｂ）とを有する燃焼装置（４０）に設けられ、前記潜熱回収用熱交換器（４２ｂ）から発生する排水が導入される電解槽（１１）と、
前記電解槽（１１）内に対向して配設される一対の電極（１２、１３）と、
前記一対の電極（１２、１３）との間に配設されマグネシウムからなる一枚または複数枚の中間電極（１４）と、
前記電極（１２、１３）間に電圧を印加する電圧印加手段（１５）とを有し、前記電圧印加手段（１５）により前記電極（１２、１３）間に電圧を印加させて前記中間電極（１４）からＭｇ２＋イオンを溶解させて前記電解槽（１１）内の前記排水を中性もしくはアルカリ性に改質する水改質装置において、
前記給湯用水を流通させる通水路（４４、４５、４６）に配設され、水車および発電機からなり、前記通水路（４４、４５、４６）を流通する前記給湯用水の流水エネルギーにより水車を回転させて電力を発電する発電手段（３０）と、前記発電手段（３０）によって発電された電力を蓄える電源手段（３１）とが設けられ、前記電圧印加手段（１５）は、前記電源手段（３１）から蓄えられた電力を供給するように構成したことを特徴とする水改質装置。
【発明の詳細な説明】
【０００１】
【発明の属する技術分野】
本発明は、マグネシウムからなる電極を用いて電気分解を行なうことで水を中性もしくはアルカリ性に改質する水改質装置に関するものであり、特に、電気分解による電力消費の低減に関する。
【０００２】
【従来の技術】
従来、この種の水改質装置として、改質する水が導入された電解槽と、対向して電解槽内に配設される第１、第２電極と、マグネシウムで形成され、第１、第２電極間に配設される一枚または複数枚の中間電極と、この第１、第２電極に直流電圧を印加する電圧印加手段とから構成している。
【０００３】
そして、第１、第２電極間に電圧を印加させると、隣り合う電極間に電位差が発生するため、マグネシウムで形成された中間電極からＭｇ２＋イオンを電解槽内に溶解させて、電解槽内の水をアルカリ性に改質している（例えば、特許文献１参照。）。
【０００４】
【特許文献１】
特開２００１−１９１０７８号公報
【０００５】
【発明が解決しようとする課題】
しかしながら、上記、特許文献１によれば、電解槽内の水を電気分解するにあたり消費電力が４〜６Ｗ程度の使用であれば所定性能を得ることができるため比較的、商用電源から電源を供給するように構成されているのが一般的である。
【０００６】
そこで、本発明の目的は、上記点を鑑みたものであり、装置に流通する水の流水エネルギーを利用して自己発電する発電手段を配設させることで、消費電力の少ない省動力を可能とした水改質装置を提供することにある。
【０００７】
【課題を解決するための手段】
上記、目的を達成するために、請求項１ないし請求項９に記載の技術的手段を採用する。すなわち、請求項１に記載の発明では、改質する水が導入される電解槽（１１）と、この電解槽（１１）内に対向して配設されマグネシウムからなる一対の電極（１２、１３）と、この電極（１２、１３）間に電圧を印加する電圧印加手段（１５）とを有し、電圧印加手段（１５）により電極（１２、１３）間に電圧を印加させて電極（１２、１３）からＭｇ２＋イオンを溶解させて電解槽（１１）内の水をアルカリ水に改質する水改質装置において、
電解槽（１１）に水を流通させる通水路（１６、１７）に配設され、水車および発電機からなり、通水路（１６、１７）を流通する水の流水エネルギーにより水車を回転させて電力を発電する発電手段（３０）とこの発電手段（３０）によって発電された電力を蓄える電源手段（３１）とが設けられ、電圧印加手段（１５）は、電源手段（３１）から蓄えられた電力を供給するように構成したことを特徴としている。
【０００８】
請求項１に記載の発明によれば、改質する水が流通される通水路（１６、１７）に、水車を回転させて電力を発電する発電手段（３０）と、この発電手段（３０）によって発電された電力を蓄える電源手段（３１）とが設けられ、電源手段（３１）から蓄えられた電力を電圧印加手段（１５）に供給するように構成したことにより、改質する水の流水エネルギーから電力を発電して蓄えることができる。これにより、電気分解するための電源を商用電源以外から自己発電による電力を得ることができるため消費電力の少ない省動力の水改質装置の提供ができる。
【０００９】
請求項２に記載の発明では、改質する水が導入される電解槽（１１）と、この電解槽（１１）内に対向して配設される一対の電極（１２、１３）と、この一対の電極（１２、１３）との間に配設されマグネシウムからなる一枚または複数枚の中間電極（１４）と、電極（１２、１３）間に電圧を印加する電圧印加手段（１５）とを有し、電圧印加手段（１５）により電極（１２、１３）間に電圧を印加させて中間電極（１４）からＭｇ２＋イオンを溶解させて電解槽（１１）内の水をアルカリ水に改質する水改質装置において、
電解槽（１１）に水を流通させる通水路（１６、１７）に配設され、水車および発電機からなり、通水路（１６、１７）を流通する水の流水エネルギーにより水車を回転させて電力を発電する発電手段（３０）とこの発電手段（３０）によって発電された電力を蓄える電源手段（３１）とが設けられ、電圧印加手段（１５）は、電源手段（３１）から蓄えられた電力を供給するように構成したことを特徴としている。
【００１０】
請求項２に記載の発明によれば、請求項１では一対の電極（１２、１３）のみが電解槽（１１）内に配設された水改質装置であるが、一対の電極（１２、１３）との間に一枚または複数枚の中間電極（１４）が配設される水改質装置においても、請求項１と同じ効果を奏する。
【００１１】
請求項３に記載の発明では、改質する水は、浴槽内の浴水であり、電解槽（１１）は、浴水を浄化する浴水浄化装置（５０）に配設されたことを特徴としている。
【００１２】
請求項３に記載の発明によれば、上記請求項１および請求項２においては、具体的には、例えば、上水を電気分解してアルカリイオン水に改質するアルカリ整水器などの水改質装置の通水路（１６、１７）に発電手段（３０）および電源手段（３１）を設けたが、浴槽内の浴水を浄化する。例えば入浴後の浴水を浄化、保温する浴水浄化装置（５０）に電解槽（１１）を配設させて浴水をアルカリ性に改質する水改質装置に本発明を適用させても良い。これにより、本装置においても電気分解するための電源を商用電源以外から自己発電による電力を得ることができるため、消費電力の少ない省動力の水改質装置の提供ができる。
【００１３】
請求項４に記載の発明では、電解槽（１１）は、水道水から粒子成分、遊離塩素や臭気成分、微細縣濁物を除去する浄水器（６０）を有する通水路（１６、１７）に配設されたことを特徴としている。
【００１４】
請求項４に記載の発明によれば、上記の他に、水道水を浄水する浄水器（６０）とを有する通水路（１６、１７）に電解槽（１１）を配設させて水道水をアルカリ性に改質する水改質装置に本発明を適用させても良い。これにより、本装置においても電気分解するための電源を商用電源以外から自己発電による電力を得ることができるため、消費電力の少ない省動力の水改質装置の提供ができる。
【００１５】
また、水道水が電解槽（１１）内での電気分解によりＭｇ２＋イオンがＯＨ−イオンと反応してＭｇ(ＯＨ)２が生成し、電解槽（１１）内の水道水がアルカリ性に改質されるとともに、このときに生成されるＭｇ(ＯＨ)２には２酸化マグネシウムよりなるミネラル成分が含まれているため、ミネラル成分を有するアルカリ水に改質される。これにより、浄水器（６０）により浄水機能と電解槽（１１）内でのミネラル成分を有するアルカリ水に改質できる。
【００１６】
請求項５および請求項６に記載の発明では、燃焼により排出される排気ガスの潜熱を回収させることにより発生する排水が導入される電解槽（１１）と、この電解槽（１１）内に対向して配設されマグネシウムからなる一対の電極（１２、１３）と、この一対の電極（１２、１３）間に電圧を印加する電圧印加手段（１５）とを有し、電圧印加手段（１５）により電極（１２、１３）間に電圧を印加させて電極（１２、１３）からＭｇ２＋イオンを溶解させて電解槽（１１）内の排水を中性もしくはアルカリ性に改質する水改質装置において、
電解槽（１１）に排水を流通させる通水路（１６、１７）に配設され、水車および発電機からなり、通水路（１６、１７）を流通する排水の流水エネルギーにより水車を回転させて電力を発電する発電手段（３０）とこの発電手段（３０）によって発電された電力を蓄える電源手段（３１）とが設けられ、電圧印加手段（１５）は、電源手段（３１）から蓄えられた電力を供給するように構成したことを特徴としている。
【００１７】
請求項５および請求項６に記載の発明によれば、また、例えばガスや灯油などの化石燃料を燃やして給湯用水を加熱して給湯の用途に使用される給湯器などにおいては、近年の環境問題から排気ガスの潜熱を回収する潜熱回収用熱交換器が設けられ、この潜熱用熱交換器により回収して得られる排水を電解槽（１１）内に導いて改質する水改質装置にも本発明は適用する。
【００１８】
因みに、潜熱回収用熱交換器により排気ガスの潜熱を回収して得られる排水は、一般的にＰＨ３程度の酸性を有したものであるため、これを電気分解により電解槽（１１）内にＭｇ２＋イオンを溶解させて改質させることで、酸性の排水を中性もしくはアルカリ性に改質させることができる。これにより、本装置においても電気分解するための電源を商用電源以外から自己発電による電力を得ることができるため、消費電力の少ない省動力の水改質装置の提供ができる。
【００１９】
請求項７に記載の発明では、電圧印加手段（１５）は、発電手段（３０）が作動され発電を開始したときに、発電された電力によって電極（１２、１３）間に電圧が印加されることを特徴としている。
【００２０】
請求項７に記載の発明によれば、通水路（１６、１７）を流通する水の流水エネルギーによって電源手段（３１）に自己発電による電力が蓄えられる。例えばその蓄えられた電力が所定の電力以上となったときに、電気分解の運転開始信号を受けるように構成すれば、従来、電解槽（１１）内の水の液面レベルを検知する検知手段を必要としていたが、これにより、この検知手段を不要にできる。
【００２１】
請求項８および請求項９に記載の発明では、燃焼により給湯用水を加熱する給湯用熱交換器（４２ａ）と燃焼により排出される排気ガスの潜熱を回収する潜熱回収用熱交換器（４２ｂ）とを有する燃焼装置（４０）に設けられ、潜熱回収用熱交換器（４２ｂ）から発生する排水が導入される電解槽（１１）と、この電解槽（１１）内に対向して配設されマグネシウムからなる一対の電極（１２、１３）と、この電極（１２、１３）間に電圧を印加する電圧印加手段（１５）とを有し、電圧印加手段（１５）により電極（１２、１３）間に電圧を印加させて電極（１２、１３）からＭｇ２＋イオンを溶解させて電解槽（１１）内の排水を中性もしくはアルカリ性に改質する水改質装置において、
給湯用水を流通させる通水路（４４、４５、４６）に配設され、水車および発電機からなり、この通水路（４４、４５、４６）を流通する給湯用水の流水エネルギーにより水車を回転させて電力を発電する発電手段（３０）と、この発電手段（３０）によって発電された電力を蓄える電源手段（３１）とが設けられ、電圧印加手段（１５）は、電源手段（３１）から蓄えられた電力を供給するように構成したことを特徴としている。
【００２２】
請求項８および請求項９に記載の発明によれば、また、給湯の用途に使用される給湯器などの燃焼装置（４０）に配設される水改質装置においては、燃焼装置（４０）内の通水路（４４、４５、４６）内を流通する給湯用水の流水エネルギーによって電力を発電させて蓄えるように発電手段（３０）および電源手段（３１）を配設するようにしたことにより、前項の潜熱用熱交換器（４２ｂ）により回収して得られる排水よりも給湯用水の方が流水エネルギーを大きくすることができるため水改質装置の電気分解するための電源を商用電源以外からより多くの自己発電による電力を得ることができるため、消費電力の少ない省動力の水改質装置の提供ができる。
【００２３】
なお、上記各手段の括弧内の符号は、後述する実施形態の具体的手段との対応関係を示すものである。
【００２４】
【発明の実施の形態】
（第１実施形態）
以下、水道水をアルカリ水に改質するアルカリ整水器に本発明を適用した第１実施形態について図１に基づいて説明する。図１は、本実施形態の水改質装置１０の全体構成を示す模式図である。水改質装置１０は、水道水が導入される電解槽１１、この電解槽１１内に対向して配設される第１、第２電極１２、１３、この第１、第２電極１２、１３との間に配設される複数の中間電極１４、第１、第２電極１２、１３間に直流電圧を印加する電圧印加手段１５、この電圧印加手段１５を制御する制御装置２０、水車３０ａを回転させて電力を発電する発電手段３０および発電手段３０からの電力を蓄える電源手段３１とから構成されている。
【００２５】
電解槽１１は、アルカリに強いプラスチックなどの材料で形成された容器であり、上流端が図示しない給水配管に開閉弁（図示せず）を介して接続されて、水道水を電解槽１１内に流通させる通水路１６と、下流端が開口し改質されたアルカリ水を流通させる通水路１７とが設けられ、電気分解を行なうための容器である。
【００２６】
そして、電解槽１１内に配設される第１、第２電極１２、１３は、導電性金属である。例えば、Ｔｉ材にＰｔメッキかＰｔを焼成したものかのいずれかで板状に形成されている。また、３枚の中間電極１４は、マグネシウムの材料で板状に形成され、電気絶縁性の図示しないスペーサを介して、各中間電極１４が互いに略平行に配設されるように所定間隔を設けて第１、第２電極１２、１３間に積層されている。
【００２７】
そして、第１、第２電極１２、１３は、直流電圧を印加する電圧印加手段１５に接続している。この電圧印加手段１５は、第１、第２電極１２、１３間に直流電圧を印加するように制御装置２０により制御され、一方の第１電極１２側に高電位電圧（例えば、ＤＣ２４Ｖ）を印加して、もう一方の第２電極１３側に低電位電圧（ＤＣ０Ｖ）を一定時間（例えば５分）印加させ、その後、第１電極１２側に低電位電圧（ＤＣ０Ｖ）を印加して、第２電極１３側に高電位電圧（例えば、ＤＣ２４Ｖ）を一定時間（例えば５分）印加させるように交互に極性を切り換えるように制御している。
【００２８】
なお、電解性能は水道水の水質等の条件によって変動するため、性能を安定させるために、第１、第２電極１２、１３に印加する電圧を制御装置２０により制御させ、電解槽１１内を流れる電流が一定に保つ機構を設けても良い。また、制御装置２０は、図示しない操作パネルに接続され、操作パネルからの操作信号に基づいて電圧印加手段１５の制御を行なう。
【００２９】
次に、発電手段３０は、水車３０ａと発電機３０ｂとからなり通水路１６に設けられ、この通水路１６を流通する水道水の流水エネルギーにより水車３０ａを回転させて、回転子、固定子からなる発電機３０ｂによって電力を発電されるものである。そして、発電された電力は蓄電池などの電源手段３１に蓄えられるように構成されている。また、電源手段３１は、蓄電された電力を出力するように制御装置２０に接続されている。
【００３０】
なお、本実施形態の制御装置２０は、電源手段３１より蓄電された電力の供給を受けるとともに、電源手段３１以外から、すなわち、図示しない商用電源の供給を受け、直流電圧に変圧させて電圧印加手段１５に印加するように構成されている。因みに、電源手段３１において、蓄電された電力が所定以下のときには図示しない商用電源からの電源を出力するようにしている。また、ここでは、発電手段３０を通水路１６に配置したが、これに限らず、電解槽１１下流側の通水路１７側に配置しても良い。
【００３１】
次に、以上の構成による水改質装置１０の作動について説明する。まず、アルカリ水を生成させたいときには、図示しないアルカリスイッチを操作させることで、制御装置２０により、通水路１６の上流に設けられた開閉弁（図示）が開いて水道水が電解槽１１内に導入される。これにより、通水路１６に水道水が流通されることで水車３０ａが回転し、発電機３０ｂによって電力が発電されて電源手段３１に蓄えられる。
【００３２】
そして、制御装置２０は、蓄えられた電力が所定値を超えたときに、電圧印加手段１５に電圧を印加する開始信号を出力するとともに、第１電極１２と第２電極１３との間に電圧が印加されると、第１、第２電極１２、１３間の水道水が以下に示すように電気分解される。因みに、第１、第２電極１２、１３間に印加される電圧の極性は所定時間（例えば、５分）毎に切り換えられるが、説明の便宜上、一方の第１電極１２が陽極、もう一方の第２電極１３が陰極の状態を例に、電気分解による電解水生成の化学反応について説明する。
【００３３】
図１に示すように、電圧Ｖ０が印加されると高電位側の第１電極１２からＭｇ２＋イオンが溶解し、下記化学反応式（１）によって示されるように、Ｍｇ２＋イオンがＯＨ−イオンと反応してＭｇ(ＯＨ)２が生成し、電解槽１１内の水がアルカリ性に改質される。なお、このときに生成されるＭｇ(ＯＨ)２には２酸化マグネシウムよりなるミネラル成分が含まれているため、ミネラル成分を有するアルカリ水に改質される。
【００３４】
【化１】Ｍｇ２＋＋２ＯＨ−→Ｍｇ（ＯＨ）２
また、一方の低電位側の第２電極１３では、水素イオン２Ｈ＋が電子を受け取って水素ガスＨ２になる反応が起きている。この水素ガスＨ２は量が僅かであるため安全上問題なく、図示しない排気口から排出されるように構成している。
【００３５】
なお、第１、第２電極１２、１３の極性が反転したときには、第１電極１２では水素イオン２Ｈ＋が電子を受け取って水素ガスＨ２になる反応が起き、第２電極１３では化学式（１）で示す反応が起こるので、説明は省略する。
【００３６】
また、高電位側の電極からＭｇ２＋イオンが溶解することにより、第１、第２電極１２、１３の材料であるマグネシウムが消耗してしまう。本実施形態では、高電位側と低電位側とを交互に切り換えて通電を行なうことにより、第１、第２電極１２、１３が交互に溶解するため均等に消耗するように構成されている。
【００３７】
そして、アルカリ水に改質された水道水が電解槽１１をオーバーフローして通水路１７から流出される。従って、電圧印加手段１５が通電している電気分解を実行中は通水路１６、１７は水道水が流通しているため、水車３０ａが回転し、発電機３０ｂによって電力が発電されて電源手段３１に自己発電による電力が蓄えられている。これにより、電気分解を実行する消費電力の一部が自己発電による電力を消費するようにしている。
【００３８】
また、アルカリ水の生成を停止させたいときには、アルカリスイッチ（図示せず）を停止操作することにより、開閉弁（図示せず）が閉じられて、水車の３０ａの回転が停止するとともに、発電機３０ｂの発電も停止される。これにより、制御装置２０は、電源手段３１からの発電停止信号を入力することで電圧印加手段１５への通電を終了させる。
【００３９】
なお、本実施形態では、アルカリ水の生成の操作をアルカリスイッチ（図示せず）を操作させて開閉弁（図示せず）を制御したが、これに限らず、通水路１７の下流端に吐水弁を設けて、この吐水弁を開閉操作することでアルカリ水の生成および生成停止をさせても良い。
【００４０】
以上の第１実施形態の水改質装置１０によれば、水車３０ａを回転させて電力を発電する発電手段３０と、この発電手段３０によって発電された電力を蓄える電源手段３１とが改質する水道水が流通される通水路１６、１７に設けられ、電源手段３１から蓄えられた電力を電圧印加手段１５に供給するように構成したことにより、改質する水道水の流水エネルギーから電力を発電して蓄えることができる。これにより、電気分解するための電源を商用電源以外からも自己発電による電力を得ることができるため消費電力の少ない省動力の水改質装置の提供ができる。
【００４１】
また、電圧印加手段１５は、通水路１６、１７に水道水が流通して発電手段３０が作動して電力の発電を開始したときに、発電された電力によって、電気分解の開始信号を受けるようにしたことにより、従来、電解槽１１内の水道水の液面レベルを検知する検知手段を必要としていたが、これにより、この検知手段を不要にできる。
【００４２】
（第２実施形態）
以上の第１実施形態では、電解槽１１内に配設される電極を１２、１３、１４を導電性金属からなる第１、第２電極１２、１３と、複数枚のマグネシウムからなる中間電極１４とで構成させたが、これに限らず、第１、第２電極１２、１３をマグネシウムの材料で形成して、中間電極１４を省略させても良い。
【００４３】
具体的には、図２に示すように、電解槽１１内にマグネシウムからなる第１、第２電極１２、１３を配設されたものである。なお、図中の符号は、第１実施形態と同じ構成のものは、第１実施形態と同じ符号を付して説明は省略している。
【００４４】
また、第１実施形態では、第１、第２電極１２、１３を導電性金属で形成させたが、中間電極１４と同様のマグネシウム材料で形成させても良い。これによれば、電極の表面積が拡大されてＭｇ２＋イオンの溶解が大とできる。
【００４５】
（第３実施形態）
以上の実施形態では、水道水をアルカリ水に改質するアルカリ整水器に本発明を適用した水改質装置１０について説明したが、これに限らず、例えば、ガスや灯油などの化石燃料を燃やして給湯用水を加熱して給湯の用途に使用される給湯器などの排気ガスの潜熱を回収する潜熱回収用熱交換器が設けられ、この潜熱用熱交換器により回収して得られる排水を電解槽１１内に導いて、概して酸性である排水を中性もしくはアルカリ性に改質する水改質装置にも本発明を適用させても良い。
【００４６】
具体的には、図３に示すように、燃焼装置である給湯器４０は、一般に屋外に設置され、給湯器４０内の下方側にガス焚きによる燃焼器４１、この燃焼器４１の上方側に上水を給湯用水に熱交換させる給湯用熱交換器４２ａ、その上方側に潜熱回収用熱交換器４２ｂ、その潜熱回収用熱交換器４２ｂの下流側に排気口１３が配設されている。
【００４７】
そして、燃焼器４１の上流側には、給排気用燃焼送風機（図示せず）が設けられていて燃焼用空気を取り入れ燃焼器４１に送り、燃焼によって排気ガスとなり給湯用熱交換器４２ａ、潜熱回収用熱交換器４２ｂを介して排気口４３から屋外に排出される。
【００４８】
また、潜熱回収用熱交換器４２ｂの入口側には給水管４４が接続されており、潜熱回収用熱交換器４２ｂの出口側と給湯用熱交換器４２ａの入口側とは連結管４５と接続されており、給湯用熱交換器４２ａの出口側には給湯管４６が接続されている。
【００４９】
そして、潜熱回収用熱交換器４２ｂの下側には、この潜熱回収用熱交換器４２ｂで発生するドレン排水（以下、排水と称する）を受ける受け皿４７が設けられており、この受け皿４７の下流端に排水管４８が接続され、この排水管４８の下流側は給湯器４０の機外に導出され、受け皿４７に溜まった排水を水改質装置１０に排出する構成となっている。なお、受け皿４７の材質は、酸および排気ガスに触れるために防食性を有するステンレス材を用いている。
【００５０】
次に、水改質装置１０は、通水路１６の上流端が排水管４８の下流端に接続されている。これにより、排水管１８から導入される排水が電解槽１１内に導入される。なお、排水管４８から導入される排水には、主に燃焼排気ガス中の窒素酸化物など酸性（ｐＨ３程度）の腐食性分が含まれているために電解槽１１の材料は、酸およびアルカリに強いプラスチックなどの材料で形成され、排水管４８からの排水を導いて、排水を中和もしくはアルカリ性に改質させる容器であり、排水管４８より下方に設置されている。その他の構成部品については第１実施形態と同じ構成のものは、第１実施形態と同じ符号を付して説明は省略している。
【００５１】
次に、以上の構成による給湯器４０に適用した水改質装置１０は、給湯器４０の運転によって排気ガスから回収された排水を改質するものである。この排水は排気ガス中のＮＯｘ（窒素酸化物）やＳＯｘ（硫黄酸化物）が溶解して、ＨＮＯ３やＨ２ＳＯ４が生成されておりｐＨ３程度の強酸性となっている。そこで、本実施形態では、酸性の排水を電気分解させることで中性もしくは弱アルカリ性に改質させることができる。因みに、高電位側の第１電極１２からＭｇ２＋イオンが溶解し、下記化学式（２）によって示されるようにＭｇ２＋イオンがＯＨ−と反応してＭｇ（ＯＨ）２が生成され、さらに、化学式（３）ないし（６）に示すように、排水中に含まれるＨＮＯ３およびＨ２ＳＯ４と、ＭｇおよびＭｇ（ＯＨ）２とがそれぞれ反応して３Ｍｇ（ＮＯ３）２およびＭｇＳＯ４などの水に溶けやすい物質が生成されてドレン水に混じるので改質槽２０内の酸性の排水が中性もしくはアルカリ性に改質される。
【００５２】
【化２】Ｍｇ２＋＋２ＯＨ−→Ｍｇ（ＯＨ）２
【００５３】
【化３】３Ｍｇ＋８ＨＮＯ３→３Ｍｇ（ＮＯ３）２＋２ＮＯ＋４Ｈ２Ｏ
【００５４】
【化４】Ｍｇ＋Ｈ２ＳＯ４→ＭｇＳＯ４＋Ｈ２
【００５５】
【化５】Ｍｇ（ＯＨ）２＋２ＨＮＯ３→Ｍｇ（ＮＯ３）２＋２Ｈ２Ｏ
【００５６】
【化６】Ｍｇ（ＯＨ）２＋２Ｈ２ＳＯ４→ＭｇＳＯ４＋２Ｈ２Ｏ
一方、第１、第２実施形態と同様に、低電位側の第２電極１３では、水素イオン２Ｈ＋が電子を受け取って水素ガスＨ２になる反応が起きている。なお、両電極１２、１３の極性が反転したときには、第１電極１２では水素イオン２Ｈ＋が電子を受け取って水素ガスＨ２になる反応が起き、第２電極１３では化学式（２）ないし（６）で示す反応が起こるので、説明は省略する。
【００５７】
そして、酸性の排水が中性もしくはアルカリ性に改質された改質水は、通水路１７からオーバーフローして図示しない外部の下水管に排出されるものである。この改質水は環境汚染の心配はない。以上が電解槽１１内で酸性の排水が中性もしくはアルカリ性に改質されるるとともに、通水路１６において、水車３０ａが回転し、発電機３０ｂによって電力が発電されて電源手段３１に自己発電による電力が蓄えられている。
【００５８】
以上の第３実施形態の水改質装置１０によれば、本装置においても電気分解するための電源を商用電源以外から自己発電による電力を得ることができるため、消費電力の少ない省動力の水改質装置の提供ができる。
【００５９】
（第４実施形態）
以上の実施形態では、発電手段３０を電解槽１１上流側の通水路１６に設けたが、これに限らず、給湯器４０の給湯用水を流通させる通水路に設けても良い。具体的には、図４に示すように、潜熱回収用熱交換器４２ｂおよび給湯用熱交換器４２ａに給湯用水を流通させる通水路である給水管４４に、水車３０ａと発電機３０ｂとからなる発電手段３０が設けられている。これによれば、給水管４４に流通させる給湯用水の流水エネルギーにより電力を発電させて、発電された電力を電源手段３１に蓄えることができる。
【００６０】
以上の構成による水改質装置１０によれば、第３実施形態の潜熱用熱交換器４２ｂにより回収して得られる排水よりも、本実施形態の給湯用水の方が流水エネルギーを大きくすることができるため、商用電源以外からより多くの自己発電による電力を得ることができるため、第３実施形態よりも消費電力の少ない省動力の水改質装置の提供ができる。
【００６１】
なお、本実施形態では、給湯用水の通水路である給水管４４に発電手段３０を設けたが、連結管４５または給湯管４６に発電手段３０を設けても良い。
【００６２】
（第５実施形態）
本実施形態では、浴槽内の浴水を浄化する。例えば入浴後の浴水を浄化、保温する浴水浄化装置に電解槽１１を配設させて浴水をアルカリ性に改質する水改質装置に本発明を適用させても良い。具体的には、図５に示すように、浴水浄化装置５０は、入浴により汚れが生じた浴槽５１内の浴水を浄化する浄化部５２ａを内部に備えた浄化槽５２、浴水を汲み上げる循環ポンプ５３および図示しないが浴水を加温するためのヒータなどから構成されている。
【００６３】
本実施形態では、この浴水浄化装置５０に循環される浴水を電気分解することによりアルカリ性に改質するものであって、浴水を循環させる通水路１６と浄化槽５２との間に、発電手段３０および電解槽１１を配設させたものである。
【００６４】
以上の構成による水改質装置１０は、浴水を浄化、保温するときに、循環ポンプ５３の作動により、浴槽５１内の浴水が電解槽１１内に流通されて浴水がアルカリ性に改質されるとともに、通水路１６において、水車３０ａが回転し、発電機３０ｂによって電力が発電されて電源手段３１に自己発電による電力が蓄えられている。
【００６５】
以上の第５実施形態の水改質装置１０によれば、本装置においても電気分解するための電源を商用電源以外から自己発電による電力を得ることができるため、消費電力の少ない省動力の水改質装置の提供ができる。
【００６６】
なお、本実施形態では、通水路１６と浄化槽５２との間に、発電手段３０および電解槽１１を配設させたが、図６に示すように、通水路１６の途中を分岐させて浴水の一部を電解槽１１内に導入させても良い。
【００６７】
（第６実施形態）
本実施形態では、水道水から粒子成分、遊離塩素や臭気成分、微細縣濁物などを除去する浄水器の通水路に電解槽１１を配設させて水道水を浄水およびアルカリ性に改質する水改質装置に本発明を適用させても良い。具体的には、図７に示すように、浄水器６０は、水道水を浄水器６０に流通させる通水路１６と、下流端に蛇口１７ａが設けられ浄水された水道水を流通させる通水路１７との間に設けられて構成している。
【００６８】
そこで、本実施形態では、電解槽１１を有する水改質装置１０を浄水器６０の下流側の通水路１７に配設させたものである。以上の構成によれば、浄水器６０により水道水から粒子成分、遊離塩素や臭気成分、微細縣濁物などを除去された浄水が水改質装置１０により、浄水からミネラル成分を有するアルカリ水に改質して蛇口１７ａから給水できるようにした物である。
【００６９】
なお、本実施形態の浄水器６０は、中空紙膜と活性炭などからなるカートリッジを有するものである。また、図中の図中６１は洗面器であり、６２は排水管である。以上の構成による第６実施形態の水改質装置１０によれば、電気分解によりＭｇ２＋イオンがＯＨ−イオンと反応してＭｇ(ＯＨ)２が生成し、電解槽１１内の水がアルカリ性に改質されるとともに、このときに生成されるＭｇ(ＯＨ)２には２酸化マグネシウムよりなるミネラル成分が含まれているため、ミネラル成分を有するアルカリ水に改質される。これにより、浄水器６０により浄水機能と水改質装置１０によるミネラル成分を有するアルカリ水に改質できる。
【００７０】
また、本実施形態では、電解槽１１を有する水改質装置１０を浄水器６０の下流側の通水路１７に配設させたが、図８に示すように、水改質装置１０を浄水器６０の上流側の通水路１６に配設させても良い。さらに、図９に示すように、水改質装置１０を浄水器６０の内部に収容して一体に構成しても良い。
【００７１】
（他の実施形態）
以上の第３、第４実施形態では、ガス、石油焚きの燃焼器４１による給湯器４０を対象にして説明したが、石油やガスを燃料とする給湯器に限定されることはなく、風呂釜、冷房機、暖房機、冷暖房機、空調機等の、潜熱回収用熱交換器４２ｂを備えた各種の燃焼装置に適用されるものである。
【００７２】
以上の実施形態では、中間電極１４の配設個数を３枚設けて説明したが、この数に限定されることなく少なくとも１枚ないし複数枚以上でも良い。
【図面の簡単な説明】
【図１】本発明の第１実施形態における水改質装置１０の全体構成を示す模式図である。
【図２】本発明の第２実施形態における水改質装置１０の全体構成を示す模式図である。
【図３】本発明の第３実施形態における水改質装置１０の全体構成を示す模式図である。
【図４】本発明の第４実施形態における水改質装置１０の全体構成を示す模式図である。
【図５】本発明の第５実施形態における水改質装置１０の全体構成を示す模式図である。
【図６】本発明の第５実施形態における水改質装置１０の全体構成を示す模式図である。
【図７】本発明の第６実施形態における水改質装置１０の全体構成を示す模式図である。
【図８】本発明の第６実施形態における水改質装置１０の全体構成を示す模式図である。
【図９】本発明の第６実施形態における水改質装置１０の全体構成を示す模式図である。
【符号の説明】
１１…電解槽
１２、１３…第１、第２電極（電極）
１４…中間電極
１５…電圧印加手段
１６、１７…通水路
３０…発電手段
３１…電源手段
４０…燃焼装置（給湯器）
４２ａ…給湯用熱交換器
４２ｂ…潜熱回収用熱交換器
４４…給水管（通水路）
４５…連結管（通水路）
４６…給湯管（通水路）
５０…浴水浄化装置
６０…浄水器
【図１】
2004160443.tif 000003
【図２】
2004160443.tif 000004
【図３】
2004160443.tif 000005
【図４】
2004160443.tif 000006
【図５】
2004160443.tif 000007
【図６】
2004160443.tif 000008
【図７】
2004160443.tif 000009
【図８】
2004160443.tif 000010
【図９】
2004160443.tif 000011